(57)【要約】      （修正有）【課題】調味料容器の内部空間に液体調味料に浮く蓋を設けて酸化を防止する調味料容器において、酸化を軽減しつつ注ぎ口から上手く調味料が注げる調味料容器を提供する。【解決手段】上端が開口状態に成る容器本体５の開口部に逆凹形状に成る上蓋２を着脱自在に設けた調味料容器１０において、上蓋の天井面に外気と連通する空気孔３を設け、容器本体５の外周面に接し軸方向に並行した連通管６を設けるとともに、連通管６の下端部は、容器本体５と連通し、さらに連通管６の上端部の注ぎ口管１は容器本体５の外周面に略垂直に突出して設けられており、しかも、容器本体５の内部空間には、容器本体５の内径と略同一で、容器本体内の調味料の液面を覆い浮上する中蓋４を設けている。【選択図】図１
2017210290.tif 000002
【特許請求の範囲】
【請求項１】
上端が開口状態に成る容器本体の開口部に逆凹形状に成る上蓋を着脱自在に設けた調味料容器において、前記上蓋の天井面に外気と連通する空気孔を設け、容器本体の外周面に接し軸方向に並行した連通管を設けるとともに、前記連通管の下端部は、前記容器本体と連通し、さらに前記連通管の上端部の注ぎ口管は前記容器本体の外周面に略垂直に突出して設けられており、しかも、前記容器本体の内部空間には、前記容器本体の内径と略同一で、前記容器本体内の調味料の液面を覆い浮上する中蓋を設けていることを特徴とする調味料容器。
【請求項２】
請求項１記載の調味料容器において、注ぎ口管は、パッキンを介して前記連通管に挿入されるとともに、前記は軸方向に摺動自在であり、前記注ぎ管は、上下方向に自在に配置可能であることを特徴とする調味料容器。
【請求項３】
請求項１又は２記載の調味料容器において、前記注ぎ口管の注ぎ口より高さ方向で下方の内周面に磁石を設けるとともに、前記中蓋の外周部に鉄環を設けたことを特徴とする調味料容器。
【発明の詳細な説明】
【技術分野】
【０００１】  本発明は、調味料を移し替えて使用する調味料容器において、貯えられた液体調味料の酸化を軽減する調味料容器に関するものである。
【背景技術】
【０００２】  従来の調味料容器において、空気と置換して貯えられた液体調味料（例えば、醤油）では、常に液体調味料と外部空気が接するために、その液面より調味料の酸化が起こって長期に使用すると調味料の風味を損なっていた。
また、液体調味料と空気の接触する面積を小さくするために、調味料容器の内部空間に液体調味料に浮く蓋を設けて、酸化を防止するものもあった（特許文献１）。
しかし、調味料容器の上部に注ぎ口を設けられた調味料容器では、蓋が液面に浮上しているので、調味料容器を傾けて液面ギリギリのところで調味料を注ぐ場合、蓋と注ぎ口が干渉して調味料がうまく注げない場合があった。
【先行技術文献】
【特許文献】
【０００３】
【特許文献１】  特開２０１２−１２６４５９
【発明の概要】
【発明が解決しようとする課題】
【０００４】  本発明はかかる事情に鑑みてなされたもので、調味料容器の内部空間に液体調味料に浮く蓋を設けて酸化を防止する調味料容器において、酸化を軽減しつつ注ぎ口から上手く調味料が注げる調味料容器を提供することを目的とする。
【課題を解決するための手段】
【０００５】  記目的に沿う請求項１記載の調味料容器は、上端が開口状態に成る容器本体の開口部に逆凹形状に成る上蓋を着脱自在に設けた調味料容器において、前記上蓋の天井面に外気と連通する空気孔を設け、容器本体の外周面に接し軸方向に並行した連通管を設けるとともに、前記連通管の下端部は、前記容器本体と連通し、さらに前記連通管の上端部の注ぎ口管は前記容器本体の外周面に略垂直に突出して設けられており、しかも、前記容器本体の内部空間には、前記容器本体の内径と略同一で、前記容器本体内の調味料の液面を覆い浮上する中蓋を設けている。【０００６】  請求項２記載の調味料容器は、請求項１記載の調味料容器において、注ぎ口管は、パッキンを介して前記連通管に挿入されるとともに、前記は軸方向に摺動自在であり、前記注ぎ管は、上下方向に自在に配置可能である。【０００７】  請求項３記載の調味料容器は、請求項１又は２記載の調味料容器において、前記注ぎ口管の注ぎ口より高さ方向で下方の内周面に磁石を設けるとともに、前記中蓋の外周部に鉄環を設けた。
【発明の効果】
【０００８】請求項１記載の調味料容器においては、注ぎ口と中蓋のまわりだけで外部空気と調味料が触れるので、調味料の酸化を抑制できて尚且つ注ぎやすくすることが可能である。【０００９】特に、請求項２記載の調味料容器においては、注ぎ口管を上下方向に可変できるので、調味料が減ってきても、注ぎ口を下げることによって、調味料容器を少し傾けることで注ぐことができため、注ぎやすくすることが可能となる。【００１０】特に、請求項３記載の調味料容器においては、注ぎ口管が中蓋と連動して自動で上下方向に可変するので、より注ぎやすくすることが可能となる。
【図面の簡単な説明】
【００１１】
【図１】本発明の一実施の形態に係る調味料容器の断面の説明図である
【図２】同調味料容器の平面図である
【図３】同調味料容器を傾けて使用している状態の説明図である
【図４】同調味料容器の中蓋の説明図である
【図５】本発明の第二の実施形態に係る調味料容器静置状態の注ぎ口管の説明図である
【図６】本発明の第三の実施形態に係る調味料容器静置状態の注ぎ口管の説明図である
【図７】同調味料容器の中蓋の説明図である
【発明を実施するための形態】
【００１２】  図１に示すように、本発明の一実施の形態に係る調味料容器１０の断面図であり、調味料を貯める容器本体５と、容器本体５の上部に設けられている上蓋２と、容器本体５の側面にある連通管７と、連通管７の先端に設けられた注ぎ口管１と、容器本体５の内部空間に設けられ、上下方向に自由に動く中蓋４とで構成されている。なお、容器本体５は、上端が開口状態であり、また、上蓋２は、逆凹形状で着脱自在に容器本体５に設けられている。また、上蓋２は黒色のＡＢＳ樹脂であり、容器本体５は透明なメタクリル樹脂がある。
【００１３】  上蓋２は、上面部には空気孔３が設けられており、内周面には容器本体５の上部とねじ結合するようにねじ山が設けられている。次に容器本体５は筒状になっており、容器本体５の下部に連通口６が設けられて、連通管７と容器本体５がつながっている。連通管７は容器本体５の軸方向に沿って接して、容器本体５の下部から上部まで設けられている。注ぎ口管１は筒状であり、連通管７の先端に容器本体５の外周面に垂直に設けられている。なお、注ぎ口管１の端部には注ぎ口８が設けられている。中蓋４は容器本体５の内部空間に設けられており、中に貯えられた調味料９の液面の上に浮上して使用される。
【００１４】  図２は、調味料容器１０の平面図であり、上蓋２の径方向の端部に、円形の空気孔３が設けられている。注ぎ口管１は筒状であり、連通管（図示せず）の先端に容器本体（図示せず）の外周面に垂直に設けられている。注ぎ口管１の後端部は、湾曲しており、上から見たら半円形状で表されている。
【００１５】  図３は、調味料容器１０の断面図であり、調味料が十分入った調味料容器１０を傾けて注いでおり、傾けることによって、中蓋４も液面に沿って傾くが、連通管７と容器本体５は別体で構成されているために、注ぎ口８から調味料を注ぐのを中蓋４が干渉しない。その結果、連通口６を通して注ぎ口管１から調味料がスムーズにでるようになっている。
【００１６】  図４は、中蓋４の説明図であり、円盤形状で液体調味料に浮くような材質（発泡樹脂）で構成される。中蓋４の直径は容器本体５の内径より多少小さく構成され、容器本体５の中を上下移動可能になっている。
【００１７】  図５は、本発明の第二の実施形態に係る調味料容器１０の注ぎ口の説明図であり、注ぎ口管１１が上下に動かせることを説明している。点線の注ぎ口管１１が上部に移動した状態を示しており、実線の注ぎ口管１１は下部に移動した時の状態を示している。注ぎ口管１１は連通管１６の中に挿入されており、注ぎ口管１１と連通管１６の間をパッキンで止められており液体調味料の漏れを防ぐようになっている。液体調味料が少なくなってきたときに実線の注ぎ口管１１は下に下げることによって、調味料容器１０を少しの傾きで調味料９を注ぎやすくなっている。連通管１６と注ぎ口管１１の長さを同じにすることによって、調味料９が満タンの時でも注ぎ口管１１が満タン時の液面より上にいくので漏れないようになる。つまり、従来のものは、内容液の酸化を抑えるために中蓋４を設けていたが、注ぐ際に中蓋４が注ぎ口部分と接触し、中蓋４が邪魔をするため中の液体が注ぎ口部分から出にくくなるが、本発明は注ぎ口管１１を設ける事によって中蓋４と注ぎ口部分が接触しないため、中の液体が連通口６を通してスムーズに出るようになっている。また本発明は注ぎ口管１１が上下に動かせるため容器本体５の中にある内容物が少なくなっても注ぎ口管１１を下に動かし注ぎやすいようになっている。従来技術の調味料容器では、調味料が減って大きく傾けないと出てこない場合でも、注ぎ口管１１を下げることにより、少しの傾きによって調味料９を出すことができる。
【００１８】  図６は、本発明の第三の実施形態に係る調味料容器１０の注ぎ口の説明図であり、中蓋１４のふちに鉄環１５を設け、注ぎ口管１１の高さ方向の下部の内周面に磁石１７を設けている。容器本体側に接着剤で磁石１７をつける。また、注ぎ口管１１の外周面にも磁石１７を設けることによって、中蓋１４の鉄環１５との距離が縮まりなお良い。しかし、パッキン１２より磁石１７を薄くしなければならないという点に留意する必要がある。その結果、中蓋１４と上下方向に可動する注ぎ口管１１とが連動するので、自動的に調味料９の液面に応じて、最適な注ぎ口８の高さになり注ぎやすくすることができる。
【００１９】  図７は、本発明の第三の実施形態に係る調味料容器１０の中蓋１４の説明図であり、中蓋１４の外周部のみに沈まない程度の鉄環１５を設けている。中蓋１４自体は発泡樹脂でできているので、沈まないようにしている。
【産業上の利用可能性】
【００２０】本発明は、調味料を移し替えて使用する調味料容器において、貯えられた液体調味料の酸化を軽減する調味料容器に有用である。
【符号の説明】
【００２１】１：注ぎ口管
２：上蓋
３：空気孔
４：中蓋
５：容器本体
６：連通口
７：連通管
８：注ぎ口
９：調味料
１０：調味料容器
１１：注ぎ口管
１２：パッキン
１４：中蓋
１５：鉄環
１６：連通管
１７：磁石
【図１】
2017210290.tif 000003
【図２】
2017210290.tif 000004
【図３】
2017210290.tif 000005
【図４】
2017210290.tif 000006
【図５】
2017210290.tif 000007
【図６】
2017210290.tif 000008
【図７】
2017210290.tif 000009